(57)【要約】【課題】ＯＳやＢＩＯＳで認識できないＬＵＮに対応するアクセス対象を、認識させることのできる論理ユニット番号管理装置を提供する。【解決手段】論理ユニット番号管理装置１が、ＬＵＮ管理テーブルに格納されるＬＵＮと論理識別情報との対応関係を外部からの変更要求に基づいて変更し、その変更要求に基づいてＬＵＮ管理テーブルを変更した場合に、アクセス処理部へ当該変更完了を通知する。そして、ＭＰＵのアクセス処理部は、変更完了の通知後に、ＬＵＮ管理テーブルに格納されたＬＵＮの何れかに対応する論理識別情報で示されるアクセス対象へアクセスし、ＢＭＣのアクセス制御部が、当該アクセスを制御して、アクセス対象に記録された情報等のエミュレーション処理を行う。【選択図】図１
2012058912.tif 000002
【特許請求の範囲】
【請求項１】
アクセス対象に対応して設定された論理識別情報を識別する論理ユニット番号を用いて前記アクセス対象との間の情報処理を行うアクセス処理部と、
前記論理識別情報と前記論理ユニット番号との対応関係を格納した論理ユニット番号管理テーブルを記憶する論理ユニット番号管理テーブル記憶部と、
前記論理ユニット番号管理テーブルに格納される前記対応関係を外部からの変更要求に基づいて変更する論理ユニット番号管理テーブル変更部と、
前記変更要求に基づいて前記論理ユニット番号管理テーブルを変更した場合に、前記アクセス処理部へ当該変更完了を通知する変更完了通知部と、
前記変更完了の通知後に、前記論理ユニット番号管理テーブルに格納された論理ユニット番号の何れかに対応する前記論理識別情報で示される前記アクセス対象へのアクセスを制御するアクセス制御部と、
を備えることを特徴とする論理ユニット番号管理装置。
【請求項２】
前記変更完了通知部は、前記変更後の前記論理ユニット番号管理テーブルに登録されている論理ユニット番号の数を前アクセス処理部へ通知し、
前記アクセス処理部は、通知を受けた前記論理ユニット番号の数に応じて予め定められた論理ユニット管理番号の何れかに対応する前記論理識別情報で示される前記アクセス対象へのアクセスを制御する
ことを特徴とする請求項１に記載の論理ユニット番号管理装置。
【請求項３】
前記アクセス対象は、通信ネットワークを介して接続された他装置に備わる記憶装置である
ことを特徴とする請求項１または請求項２の何れかに記載の論理ユニット番号管理装置。
【請求項４】
前記論理識別情報は、前記他装置に備わる記憶装置の論理名であることを特徴とする請求項３に記載の論理ユニット番号管理装置。
【請求項５】
論理ユニット番号管理装置における論理ユニット番号管理方法であって、
アクセス処理部が、アクセス対象に対応して設定された論理識別情報を識別する論理ユニット番号を用いて前記アクセス対象との間の情報処理を行い、
論理ユニット番号管理テーブル記憶部が、前記論理識別情報と前記論理ユニット番号との対応関係を格納した論理ユニット番号管理テーブルを記憶し、
論理ユニット番号管理テーブル変更部が、前記論理ユニット番号管理テーブルに格納される前記対応関係を外部からの変更要求に基づいて変更し、
変更完了通知部が、前記変更要求に基づいて前記論理ユニット番号管理テーブルを変更した場合に、前記アクセス処理部へ当該変更完了を通知し、
アクセス制御部が、前記変更完了の通知後に、前記論理ユニット番号管理テーブルに格納された論理ユニット番号の何れかに対応する前記論理識別情報で示される前記アクセス対象へのアクセスを制御する
ことを特徴とする論理ユニット番号管理方法。
【請求項６】
論理ユニット番号管理装置のコンピュータを、
アクセス対象に対応して設定された論理識別情報を識別する論理ユニット番号を用いて前記アクセス対象との間の情報処理を行うアクセス処理手段、
前記論理識別情報と前記論理ユニット番号との対応関係を格納した論理ユニット番号管理テーブルに格納される前記対応関係を外部からの変更要求に基づいて変更する論理ユニット番号管理テーブル変更手段、
前記変更要求に基づいて前記論理ユニット番号管理テーブルを変更した場合に、前記アクセス処理部へ当該変更完了を通知する変更完了通知手段、
前記変更完了の通知後に、前記論理ユニット番号管理テーブルに格納された論理ユニット番号の何れかに対応する前記論理識別情報で示される前記アクセス対象へのアクセスを制御するアクセス制御手段、
として機能させることを特徴とするプログラム。
【発明の詳細な説明】
【技術分野】
【０００１】
本発明は、アクセス対象の論理ユニット番号を管理する論論理ユニット番号管理装置及び論理ユニット番号管理方法並びにそのプログラムに関する。
【背景技術】
【０００２】
コンピュータシステムに接続されたある第１端末が、当該コンピュータシステム上の他の第２端末に接続された光学ドライブなどのアクセス対象装置へ、第１端末に搭載されたＢＭＣ(Baseboard Management Controller)を介して接続する技術が存在する。この技術を提供するＢＭＣの機能は、仮想メディア機能（リモートメディア機能）と呼ばれている。
当該仮想メディア機能においては、ＢＭＣが、第２端末に接続されたアクセス対象装置に対応するＬＵＮ（Logical Unit Number）を管理者などによる設定に基づいて記憶しており、この情報に基づいて第１端末はＬＵＮへアクセスする。このとき、ＢＭＣはアクセスされたＬＵＮに対応する第二端末の記憶装置の記憶する情報を取得し、エミュレーション処理を行うことにより、第１端末の、第２端末に接続されたアクセス対象装置へのアクセスが可能となる。
なお、マルチＬＵＮ方式のＵＳＢマスストレージに関してＬＵＮを設定する方式が特許文献１に開示されている。
【先行技術文献】
【特許文献】
【０００３】
【特許文献１】特開２００７−０４８０７３号公報
【発明の概要】
【発明が解決しようとする課題】
【０００４】
しかしながら、上述のマルチＬＵＮ方式を用いた仮想メディア機能においては、ＢＩＯＳやＯＳの実装によってはマルチＬＵＮのうち先頭のＬＵＮしか認識できないという問題や、複数のＬＵＮの順番を変更できないという問題があり、これにより、複数の仮想メディアを同時に認識できない場合があった。
【０００５】
そこでこの発明は、上述の課題を解決することのできる論理ユニット番号管理装置及び論理ユニット番号管理方法並びにそのプログラムを提供することを目的としている。
【課題を解決するための手段】
【０００６】
上記目的を達成するために、本発明は、アクセス対象に対応して設定された論理識別情報を識別する論理ユニット番号を用いて前記アクセス対象との間の情報処理を行うアクセス処理部と、前記論理識別情報と前記論理ユニット番号との対応関係を格納した論理ユニット番号管理テーブルを記憶する論理ユニット番号管理テーブル記憶部と、前記論理ユニット番号管理テーブルに格納される前記対応関係を外部からの変更要求に基づいて変更する論理ユニット番号管理テーブル変更部と、前記変更要求に基づいて前記論理ユニット番号管理テーブルを変更した場合に、前記アクセス処理部へ当該変更完了を通知する変更完了通知部と、前記変更完了の通知後に、前記論理ユニット番号管理テーブルに格納された論理ユニット番号の何れかに対応する前記論理識別情報で示される前記アクセス対象へのアクセスを制御するアクセス制御部と、を備えることを特徴とする論理ユニット番号管理装置である。
【０００７】
また本発明は、論理ユニット番号管理装置における論理ユニット番号管理方法であって、アクセス処理部が、アクセス対象に対応して設定された論理識別情報を識別する論理ユニット番号を用いて前記アクセス対象との間の情報処理を行い、論理ユニット番号管理テーブル記憶部が、前記論理識別情報と前記論理ユニット番号との対応関係を格納した論理ユニット番号管理テーブルを記憶し、論理ユニット番号管理テーブル変更部が、前記論理ユニット番号管理テーブルに格納される前記対応関係を外部からの変更要求に基づいて変更し、変更完了通知部が、前記変更要求に基づいて前記論理ユニット番号管理テーブルを変更した場合に、前記アクセス処理部へ当該変更完了を通知し、アクセス制御部が、前記変更完了の通知後に、前記論理ユニット番号管理テーブルに格納された論理ユニット番号の何れかに対応する前記論理識別情報で示される前記アクセス対象へのアクセスを制御することを特徴とする論理ユニット番号管理方法である。
【０００８】
また本発明は、論理ユニット番号管理装置のコンピュータを、アクセス対象に対応して設定された論理識別情報を識別する論理ユニット番号を用いて前記アクセス対象との間の情報処理を行うアクセス処理手段、前記論理識別情報と前記論理ユニット番号との対応関係を格納した論理ユニット番号管理テーブルに格納される前記対応関係を外部からの変更要求に基づいて変更する論理ユニット番号管理テーブル変更手段、前記変更要求に基づいて前記論理ユニット番号管理テーブルを変更した場合に、前記アクセス処理部へ当該変更完了を通知する変更完了通知手段、前記変更完了の通知後に、前記論理ユニット番号管理テーブルに格納された論理ユニット番号の何れかに対応する前記論理識別情報で示される前記アクセス対象へのアクセスを制御するアクセス制御手段、として機能させることを特徴とするプログラムである。
【発明の効果】
【０００９】
本発明によれば、ＬＵＮ管理テーブルでＬＵＮと論理識別情報との対応関係を保持し、ＬＵＮに対応する論理識別情報を変更することができるので、先頭のＬＵＮしか認識できないような装置であっても、変更によりＬＵＮの先頭に割り当てられた論理識別情報に基づいて、その論理識別情報に対応するアクセス対象へアクセスできるよう制御することができる。また、ＬＵＮと論理識別情報の対応を自由に変更することができるようになる。
【図面の簡単な説明】
【００１０】
【図１】論理ユニット番号設定システムの構成を示すブロック図である。
【図２】論理ユニット番号管理装置と管理端末の機能ブロック図である。
【図３】記憶部の記憶するデータ例を示す第１の図である。
【図４】ＬＵＮ管理テーブルのデータ例を示す図である。
【図５】論理ユニット番号設定システムの処理フローを示す図である。
【図６】ＬＵＮ管理テーブルのデータ例を示す第２の図である。
【発明を実施するための形態】
【００１１】
以下、本発明の一実施形態による論理ユニット番号管理装置を図面を参照して説明する。
図１は同実施形態による論理ユニット番号設定システムの構成を示すブロック図である。
この図において、符号１は論理ユニット番号（ＬＵＮ；Logical Unit Number）を管理論理ユニット番号管理装置、２は論理ユニット番号管理装置１の記憶する論理ユニット番号（以下、ＬＵＮと呼ぶ）を変更する管理端末である。
ここで、論理ユニット番号管理装置１と管理端末２とは通信ネットワークを介して接続されている。論理ユニット番号管理装置１は、ＵＳＢインタフェースを介して接続されたアクセス対象を管理するＬＵＮと、管理端末２に備わる記憶装置等のアクセス対象を示す論理識別情報との対応関係を記憶しており、ある番号のＬＵＮへのアクセス要求に基づいて、当該ＬＵＮに対応する管理端末２の記憶装置等へアクセスすることができる。
【００１２】
図２は論理ユニット番号管理装置と管理端末の機能ブロック図である。
この図が示すように、論理ユニット番号管理装置１はＭＰＵ（Micro Processing Unit）１１と、ＢＭＣ（Baseboard Management Controller）１２とを備えている。ＭＰＵ１１は、論理ユニット番号管理装置１を制御する処理部であり、当該ＭＰＵ１１は内部にアクセス処理部１１１、制御部１１２を少なくとも備えている。またＢＭＣ１２は、論理ユニット番号管理装置１の内部の温度やＣＰＵ速度などを監視するとともに、ＬＵＮとＵＳＢインタフェースを介して論理ユニット番号管理装置１がアクセスするアクセス対象の情報の対応関係を管理するものであり、当該管理処理のために、内部にＬＵＮ管理テーブル変更部１２１、変更完了通知部１２２、アクセス制御部１２３、記憶部１２４を備えている。
【００１３】
また、管理端末２は、制御部２１、ＬＵＮ変更処理部２２、記憶装置Ａ、記憶装置Ｂ、記憶装置Ｃを備えている。管理端末２は記憶装置を３つ以上備えていてもよい。
なお、図２で示す論理ユニット番号管理装置１と管理端末２の機能ブロックは、本実施形態の機能を説明するために必要な機能構成のみを示しているが、実際には図示する以外の機能構成を有している。しかしながら、それらの機能構成については説明の便宜上、省略して説明するものとする。
【００１４】
ここで、本実施形態においては、論理ユニット番号管理装置１は、ＬＵＮに割り当てられたアクセス対象にアクセスする装置である。当該アクセス対象は、例えば、自装置に備わる記憶装置や、自装置とＵＢインタフェースケーブルや通信ネットワーク等を介して接続された外部記憶装置、通信ネットワーク等を介して接続された装置に接続される記憶装置などである。本実施形態においては、論理ユニット番号管理装置１は、管理端末２の記憶装置Ａ〜Ｃまたは、論理ユニット番号管理装置１の記憶部１２４の何れかのアクセス対象へＬＵＮに基づいてアクセスする。
【００１５】
ここで、ＭＰＵ１１においてアクセス処理部１１１は、ＬＵＮに対応するアクセス対象へアクセスする処理部である。当該アクセスにより、例えば、管理端末２に備わる記憶装置Ａの情報を取得し、出力処理や演算処理等に利用する。
また、ＭＰＵ１１において制御部１１２は、アクセス処理部１１１など、ＭＰＵ１１を制御する処理部である。
またＢＭＣ１２においてＬＵＮ管理テーブル変更部１２１は、ＬＵＮと論理ユニット番号管理装置１のアクセス対象を示す論理識別情報との対応関係を、外部からの変更要求に基づいて変更する処理部である。
また、変更完了通知部１２２は、ＬＵＮ管理テーブル変更部１２１による、ＬＵＮと論理識別情報との対応関係の変更が完了したことをＭＰＵ１１へ通知する処理部である。
また、アクセス制御部１２３は、ＭＰＵ１１のアクセス処理部１１１がＬＵＮに基づいてアクセス対象へアクセスする際の中継（エミュレーション処理）を行う処理部である。
また記憶部１２４は各種情報を記憶する記憶部である。
【００１６】
ＭＰＵ１１とＢＣＭ１２とは、ＵＳＢインタフェース１３やホストインタフェース１４と接続されている。ＵＳＢインタフェース１３は、ＭＰＵ１１がＢＣＭ１２を介してＬＵＮが割り当てられた論理識別情報の示すアクセス対象へアクセスする際に利用される。またホストインタフェース１４は、記憶部１２４が記憶するＬＵＮ管理テーブルをＭＰＵの制御部１１２が変更する際などに利用される。
【００１７】
また、管理端末２において、制御部２１は、管理端末２の各処理部を制御する処理部である。またＬＵＮ変更処理部２２は、論理ユニット番号管理装置１が記憶するＬＵＮと論理識別情報との対応関係の変更を要求する処理部である。
記憶装置Ａ〜Ｃは別々の物理的に分かれた記憶装置であってもよいし、論理的に分かれた記憶装置であってもよい。
【００１８】
図３は記憶部の記憶するデータ例を示す図である。
この図が示すように記憶部１２４は、イメージファイルと、ＬＵＮ管理テーブルを別々のパーティション等に分けて記憶している。記憶部１２４は、より具体的にはＲＡＭやＲＯＭなどで構成されるものであり、イメージファイルは、例えば、ＭＰＵ１１のアクセス処理部１１１によって読み取られ何らかの処理に利用されるものである。またＬＵＮ管理テーブルは、ＬＵＮと論理ユニット番号管理装置のアクセス対象を示す論理識別情報との対応関係を記憶するものである。
【００１９】
図４はＬＵＮ管理テーブルのデータ例を示す図である。
この図で示すように、記憶部１２４の記憶するＬＵＮ管理テーブルは、当該テーブルに登録されたＬＵＮの数と、ＬＵＮの各番号とアクセス対象の論理識別情報の対応関係と、が記録されている。論理識別情報は、本実施形態においてはアクセス対象の論理名称である。本実施形態においては管理端末２の記憶装置Ａを仮想メディアＡ、記憶装置Ｂを仮想メディアＢ、記憶装置Ｃを仮想メディアＣ、論理ユニット番号管理装置１のＢＭＣ１２に備えられる記憶部１２４内のイメージファイルを格納するパーティションを仮想メディアＤ、の各論理名とする。そして、例えば図４で示すように、本実施形態の初期の状態においては、ＬＵＮ０に仮想メディアＡ（管理端末２の記憶装置Ａ）が、ＬＵＮ１に仮想メディアＢ（管理端末２の記憶装置Ｂ）が、ＬＵＮ２に仮想メディアＣ（管理端末２の記憶装置Ｃ）が対応付けられて、ＬＵＮ管理テーブルに登録されているものとする。
【００２０】
この状態において、ＭＰＵ１１のアクセス処理部１１１がＬＵＮ０にアクセスすると、ＢＭＣ１２のアクセス制御部１２３が、仮想メディアＡに対応する管理端末２の記憶装置Ａへのアクセス処理部１１１のアクセスを制御する。
またＭＰＵ１１のアクセス処理部１１１がＬＵＮ１にアクセスすると、ＢＭＣ１２のアクセス制御部１２３が、仮想メディアＢに対応する管理端末２の記憶装置Ｂへのアクセス処理部１１１のアクセスを制御する。
またＭＰＵ１１のアクセス処理部１１１がＬＵＮ２にアクセスすると、ＢＭＣ１２のアクセス制御部１２３が、仮想メディアＣに対応する管理端末２の記憶装置Ｃへのアクセス処理部１１１のアクセスを制御する。
このとき、論理ユニット番号管理装置のＯＳやＢＩＯＳが、ＬＵＮ０のみ認識でき、ＬＵＮ１やＬＵＮ２を認識できないような場合には、ＬＵＮ１,ＬＵＮ２へのアクセスは出来ない。
【００２１】
そして、図１，２で示した論理ユニット番号設定システムにおいては、論理ユニット番号管理装置１が、ＬＵＮ管理テーブルに格納されるＬＵＮと論理識別情報との対応関係を外部からの変更要求に基づいて変更し、その変更要求に基づいてＬＵＮ管理テーブルを変更した場合に、アクセス処理部１１１へ当該変更完了を通知する。そして、ＭＰＵ１１のアクセス処理部１１１は、変更完了の通知後に、ＬＵＮ管理テーブルに格納されたＬＵＮの何れかに対応する論理識別情報で示されるアクセス対象へアクセスし、ＢＭＣ１２のアクセス制御部１２３が、当該アクセスを制御して、アクセス対象に記録された情報等の中継（エミュレーション処理）を行う。
このような機能を備えることにより、ＢＩＯＳやＯＳの実装によっては複数のＬＵＮのうち先頭のＬＵＮしか認識できないという問題や、複数のＬＵＮの順番を変更できないという問題を解決する。
【００２２】
図５は論理ユニット番号設定システムの処理フローを示す図である。
次に、論理ユニット番号設定システムの処理フローについて図１〜図５を用いて説明する。
ＬＵＮ管理テーブルが図４の状態である場合において、例えば、システム管理者がＬＵＮ管理テーブルに記録されているＬＵＮと論理識別情報の対応関係を変更したいと考えた場合、当該システム管理者は、管理端末２のマウスやキーボードを操作して、ＬＵＮ変更の操作を行う。当該操作は、論理ユニット番号管理装置１へのアクセスに基づいて当該装置から管理端末２送信されるＧＵＩの画面を介して行うようにしてもよいし、ＬＵＮ管理テーブルにおいて更新されるＬＵＮと論理識別情報との対応関係のデータを論理ユニット番号管理装置１へ送信するようにしてもよい。例えば、具体的には、管理端末２のＬＵＮ変更処理部２２が、論理ユニット番号管理装置１へ変更要求を送信する（ステップＳ１０１）。当該変更要求には、ＬＵＮ管理テーブルの記憶するＬＵＮと論理識別情報との対応関係を示す情報が格納される。
【００２３】
例えば、図４の状態においては、
ＬＵＮ０−仮想メディアＡ
ＬＵＮ１−仮想メディアＢ
ＬＵＮ２−仮想メディアＣ
の対応関係をＬＵＮ管理テーブルが保持しているが、この対応関係を変更するために、
ＬＵＮ０−仮想メディアＢ
ＬＵＮ１−ダミーメディアＡ
ＬＵＮ２−仮想メディアＤ
の対応関係を示す変更要求を管理端末２が送信したとする。
【００２４】
そして、管理端末２の送信した変更要求を論理ユニット番号管理装置１が受信すると、ＢＭＣ１２のＬＵＮ管理テーブル変更部１２１が、変更要求に格納されたＬＵＮと論理識別情報との対応関係を検出する（ステップＳ１０２）。そして、ＬＵＮ管理テーブル変更部１２１は、ＬＵＮ管理テーブルに登録されている情報を、変更要求から検出したＬＵＮと論理識別情報の対応関係に変更する（ステップＳ１０３）。そして、ＬＵＮ管理テーブル変更部１２１は、ＬＵＮ管理テーブルの変更処理を終了すると、変更完了通知部１２２に変更完了を示す信号を出力し、これに基づいて、変更完了通知部１２２がＭＰＵ１１へ、ＵＳＢインタフェース１３を介して変更完了信号を送信する（ステップＳ１０４）。
【００２５】
次に、ＭＰＵ１１の制御部１１２は、変更完了通知の受信に基づいて、変更後のＬＵＮ数を、ＢＭＣ１２へＵＳＢインタフェース１３を介して問い合わせる（ステップＳ１０５）。するとＢＭＣ１２のアクセス制御部１２３が、ＬＵＮ管理テーブルに登録されているＬＵＮ数をＭＰＵ１１へ通知する（ステップＳ１０６）。ここで、ＭＰＵ１１の制御部１１２は、ＬＵＮ数に応じたＬＵＮの各番号を予め記憶している。例えば、本実施形態においては、変更後のＬＵＮ数は３であるため、ＬＵＮ０，ＬＵＮ１，ＬＵＮ２の３つのＬＵＮが利用されていることを制御部１１２は検出する。そして、ＭＰＵ１１のアクセス処理部１１１は、それらＬＵＮ０，ＬＵＮ１，ＬＵＮ２の何れかのＬＵＮの指定をユーザや自装置で動作するアプリケーションプログラムより受け付ける。当該指定を受け付けることにより、アクセス処理部１１１は、指定されたＬＵＮへのアクセスを開始する（ステップＳ１０７）。ここで、ＯＳやＢＩＯＳがＬＵＮ先頭のＬＵＮ０のみ認識できるようなものであれば、ＬＵＮ０の指定を受け付ける。本実施形態の論理ユニット番号管理装置１においてはＯＳやＢＩＯＳがＬＵＮ０，ＬＵＮ１，ＬＵＮ２の３つのＬＵＮを認識できるものとし、ＬＵＮ０の指定を受け付けたものとする。
【００２６】
次に、アクセス処理部１１１は、指定を受け付けたＬＵＮ０を格納するアクセス要求をＢＭＣ１２へ通知する。すると、ＢＭＣ１２のアクセス制御部１２３は、ＬＵＮ０に対応する論理識別情報（仮想メディアＢ）をＬＵＮ管理テーブルから読取る。そして仮想メディアＢに対応するアクセス対象（管理端末２の記憶装置Ｂ）を特定する。そして、アクセス制御部１２３は管理端末２の記憶装置Ｂへアクセスし、当該記憶装置Ｂが記憶する情報を管理端末２から取得し、エミュレーション処理によって、ＵＳＢインタフェース１３を介してＭＰＵ１１へ出力する（ステップＳ１０８）。これにより、ＭＰＵ１１のアクセス処理部１１１は、管理端末２の記憶装置Ｂの記憶する情報を、例えば、自装置に接続されたモニタに出力するなどの処理を行う。
【００２７】
図６はＬＵＮ管理テーブルのデータ例を示す第２の図である。
上述したように、論理ユニット番号管理装置１のＢＭＣ１２に備えられる記憶部１２４内のイメージファイルを格納するパーティションが仮想メディアＤであり、図６で示すように、当該仮想メディアＤがＬＵＮ２に対応してＬＵＮ管理テーブルに登録されている場合には、仮想メディアＤであるイメージファイルを格納するパーティションの情報を、ＭＰＵ１１に出力するようにしてもよい。
また、図６で示すように、ＬＵＮ１にダミーメディアＡを論理識別情報として対応させ、ＭＰＵ１１に対して、ＬＵＮ１に対応する論理識別情報がダミーメディアであることを認識させるようにしてもよい。なおダミーメディアとは、実際にはアクセス対象の記録装置がないことを示している。当該ダミーメディアに対応するＬＵＮへアクセスした場合、ＭＰＵ１１のアクセス処理部１１１には、アクセス制御部１２３からアクセス不可の信号が送られる。そしてＭＰＵ１１のアクセス処理部１１１は、アクセス不可の情報をモニタ等へ出力する。
【００２８】
以上の処理により、ＬＵＮ管理テーブルでＬＵＮと論理識別情報との対応関係を保持し、ＬＵＮに対応する論理識別情報を変更することができるので、先頭のＬＵＮしか認識できないような装置であっても、変更によりＬＵＮの先頭に割り当てられた論理識別情報に基づいて、その論理識別情報に対応するアクセス先へアクセスできるよう制御することができる。また、ＬＵＮと論理識別情報の対応を自由に変更することができるようになる。
【００２９】
ここで、上述の論理ユニット番号管理装置１は、内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３１】
１・・・論理ユニット番号管理装置
２・・・管理端末
１１・・・ＭＰＵ
１２・・・ＢＭＣ
１３・・・ＵＳＢインタフェース
１４・・・ホストインタフェース
２１・・・制御部
２２・・・ＬＵＮ変更処理部
１１１・・・アクセス処理部
１１２・・・制御部
１２１・・・ＬＵＮ管理テーブル変更部
１２２・・・変更完了通知部
１２３・・・アクセス制御部
１２４・・・記憶部
【図１】
2012058912.tif 000003
【図２】
2012058912.tif 000004
【図３】
2012058912.tif 000005
【図４】
2012058912.tif 000006
【図５】
2012058912.tif 000007
【図６】
2012058912.tif 000008